【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
データの出力を要求する通信端末と、データを出力する出力端末とを通信可能に接続し、前記通信端末からのデータ出力要求を受け、そのデータ出力要求に係る出力データを前記出力端末に出力するシステムであって、
前記データ出力要求に起因して前記出力端末に対する制御要求を入力するための所定の入力項目を含む入力画面を構成するのに必要な制御用画面構成データを送信する制御用画面構成データ送信手段を備え、
前記通信端末は、前記制御用画面構成データを受信する通信端末側受信手段と、前記通信端末側受信手段で受信した制御用画面構成データに基づいて前記入力画面を構成して表示する画面構成手段と、前記入力画面に対して入力を行うための入力手段と、前記画面構成手段で表示した入力画面に入力された制御要求及び前記出力データを送信する制御要求送信手段とを有し、
前記出力端末は、前記制御要求及び前記出力データを受信する出力端末側受信手段と、前記出力端末側受信手段で受信した制御要求に基づいて前記出力端末側受信手段で受信した出力データを出力する出力手段とを有することを特徴とするデータ出力支援システム。
【請求項２】
請求項１において、
前記制御用画面構成データ送信手段は、前記出力端末の一部を構成することを特徴とするデータ出力支援システム。
【請求項３】
請求項２において、
前記出力データを出力することとなる出力端末を検索する検索端末を通信可能に接続し、
前記検索端末は、前記出力データを出力可能な出力端末を登録するための記憶手段と、前記出力データを出力することとなる出力端末を前記記憶手段から検索する検索手段とを有し、前記データ出力要求を受けて前記検索手段による検索を行い、前記検索手段で索出した出力端末に前記データ出力要求を送信するようになっていることを特徴とするデータ出力支援システム。
【請求項４】
請求項３において、
前記検索端末は、前記データ出力要求を受けて検索情報を入力するための所定の入力項目を含む入力画面を構成するのに必要な検索用画面構成データを前記通信端末に送信する検索用画面構成データ送信手段と、前記検索情報を受信する検索端末側受信手段とを有し、前記検索手段は、前記検索端末側受信手段で受信した検索情報に基づいて前記出力データを出力することとなる出力端末を前記記憶手段から検索するようになっており、
前記通信端末は、前記検索用画面構成データを受信する第２の通信端末側受信手段と、前記第２の通信端末側受信手段で受信した検索用画面構成データに基づいて前記入力画面を構成して表示する第２の画面構成手段と、前記第２の画面構成手段で表示した入力画面に入力された検索情報を前記検索端末に送信する第２の制御要求送信手段とを有することを特徴とするデータ出力支援システム。
【請求項５】
請求項４において、
前記通信端末は、当該通信端末の表示機能を含む端末仕様情報を前記データ出力要求に含めて送信するようになっており、
前記検索端末は、前記データ出力要求に含まれる端末仕様情報に基づいて前記検索用画面構成データを生成する検索用画面構成データ生成手段を有し、前記検索用画面構成データ送信手段は、前記検索用画面構成データ生成手段で生成した検索用画面構成データを前記通信端末に送信するようになっていることを特徴とするデータ出力支援システム。
【請求項６】
請求項５において、
前記検索端末は、前記検索用画面構成データ生成手段で生成した検索用画面構成データを記憶し、前記データ出力要求に含まれる端末仕様情報に基づいて生成することとなる検索用画面構成データを記憶しているときは、前記検索用画面構成データ生成手段による生成に代えて、記憶しているその検索用画面構成データを読み出すようになっていることを特徴とするデータ出力支援システム。
【請求項７】
請求項４において、
前記第２の画面構成手段は、前記第２の通信端末側受信手段で受信した検索用画面構成データに基づいて、当該通信端末の表示機能を含む端末仕様に応じた入力画面を構成して表示するようになっていることを特徴とするデータ出力支援システム。
【請求項８】
請求項３乃至７のいずれかにおいて、
前記出力端末は、登録要求を前記検索端末に送信する登録要求送信手段を有し、
前記検索端末は、前記登録要求を受けてその登録要求に係る出力端末を前記記憶手段に登録する登録手段を有することを特徴とするデータ出力支援システム。
【請求項９】
請求項２乃至８のいずれかにおいて、
前記通信端末は、当該通信端末の表示機能を含む端末仕様情報を前記データ出力要求に含めて送信するようになっており、
前記出力端末は、前記データ出力要求に含まれる端末仕様情報に基づいて前記制御用画面構成データを生成する制御用画面構成データ生成手段を有し、前記制御用画面構成データ送信手段は、前記制御用画面構成データ生成手段で生成した制御用画面構成データを送信するようになっていることを特徴とするデータ出力支援システム。
【請求項１０】
請求項９において、
前記出力端末は、前記制御用画面構成データ生成手段で生成した制御用画面構成データを記憶し、前記データ出力要求に含まれる端末仕様情報に基づいて生成することとなる制御用画面構成データを記憶しているときは、前記制御用画面構成データ生成手段による生成に代えて、記憶しているその制御用画面構成データを読み出すようになっていることを特徴とするデータ出力支援システム。
【請求項１１】
請求項１乃至８のいずれかにおいて、
前記画面構成手段は、前記通信端末側受信手段で受信した制御用画面構成データに基づいて、当該通信端末の表示機能を含む端末仕様に応じた入力画面を構成して表示するようになっていることを特徴とするデータ出力支援システム。
【請求項１２】
請求項１乃至１１のいずれかにおいて、
前記通信端末は、前記通信端末側受信手段で受信した制御用画面構成データを、当該制御用画面構成データを送信した出力端末を特定するための出力端末特定データとともに記憶し、記憶している出力端末特定データにより特定される出力端末に前記データ出力要求を再度送信することとなるときは、前記通信端末側受信手段による受信に代えて、記憶しているその出力端末特定データに対応する制御用画面構成データを読み出すようになっていることを特徴とするデータ出力支援システム。
【請求項１３】
請求項２乃至１２のいずれかにおいて、
前記制御用画面構成データは、当該制御用画面構成データを特定するためのバージョン情報を含んでおり、
前記通信端末は、前記通信端末側受信手段で受信した制御用画面構成データを、当該制御用画面構成データを送信した出力端末を特定するための出力端末特定データとともに記憶し、記憶している出力端末特定データにより特定される出力端末に前記データ出力要求を再度送信することとなるときは、記憶しているその出力端末特定データに対応する制御用画面構成データのバージョン情報を前記データ出力要求に含めて送信するようになっており、
前記出力端末は、前記データ出力要求に含まれているバージョン情報と、前記制御用画面構成データ送信手段により送信することとなる制御用画面構成データのバージョン情報とが一致しているときは、前記制御用画面構成データ送信手段による送信を行わないようになっていることを特徴とするデータ出力支援システム。
【請求項１４】
データ出力要求を送信するデータ出力要求送信手段と、出力端末に対する制御要求を入力するための所定の入力項目を含む入力画面を構成するのに必要な制御用画面構成データを受信する通信端末側受信手段と、前記通信端末側受信手段で受信した制御用画面構成データに基づいて前記入力画面を構成して表示する画面構成手段と、前記入力画面に対して入力を行うための入力手段と、前記画面構成手段で表示した入力画面に入力された制御要求及び前記データ出力要求に係る出力データを送信する制御要求送信手段とを有する通信端末に通信可能に接続したときに、前記データ出力要求に係る出力データを出力する端末であって、
前記データ出力要求に起因して前記制御用画面構成データを送信する制御用画面構成データ送信手段と、前記制御要求及び前記出力データを受信する受信手段と、前記受信手段で受信した制御要求に基づいて前記受信手段で受信した出力データを出力する出力手段とを備えることを特徴とする出力端末。
【請求項１５】
データ出力要求を送信するデータ出力要求送信手段と、出力端末に対する制御要求を入力するための所定の入力項目を含む入力画面を構成するのに必要な制御用画面構成データを受信する通信端末側受信手段と、前記通信端末側受信手段で受信した制御用画面構成データに基づいて前記入力画面を構成して表示する画面構成手段と、前記入力画面に対して入力を行うための入力手段と、前記画面構成手段で表示した入力画面に入力された制御要求及び前記データ出力要求に係る出力データを送信する制御要求送信手段とを有する通信端末と、
前記出力データを出力可能な出力端末を登録するための記憶手段と、登録要求を受けてその登録要求に係る出力端末を前記記憶手段に登録する登録手段と、前記出力データを出力することとなる出力端末を前記記憶手段から検索する検索手段とを有し、前記データ出力要求を受けて前記検索手段による検索を行い、前記検索手段で索出した出力端末に前記データ出力要求を送信する検索端末とに通信可能に接続したときに、前記データ出力要求に係る出力データを出力する端末であって、
前記データ出力要求に起因して前記制御用画面構成データを送信する制御用画面構成データ送信手段と、前記制御要求及び前記出力データを受信する受信手段と、前記受信手段で受信した制御要求に基づいて前記受信手段で受信した出力データを出力する出力手段と、前記登録要求を前記検索端末に送信する登録要求送信手段とを備えることを特徴とする出力端末。
【請求項１６】
請求項１４及び１５のいずれかにおいて、
前記通信端末は、当該通信端末の表示機能を含む端末仕様情報を前記データ出力要求に含めて送信するようになっており、
前記データ出力要求に含まれる端末仕様情報に基づいて前記制御用画面構成データを生成する制御用画面構成データ生成手段を備え、前記制御用画面構成データ送信手段は、前記制御用画面構成データ生成手段で生成した制御用画面構成データを送信するようになっていることを特徴とする出力端末。
【請求項１７】
請求項１６において、
前記制御用画面構成データ生成手段で生成した制御用画面構成データを記憶し、前記データ出力要求に含まれる端末仕様情報に基づいて生成することとなる制御用画面構成データを記憶しているときは、前記制御用画面構成データ生成手段による生成に代えて、記憶しているその制御用画面構成データを読み出すようになっていることを特徴とする出力端末。
【請求項１８】
請求項１４乃至１７のいずれかにおいて、
前記制御用画面構成データは、当該制御用画面構成データを特定するためのバージョン情報を含んでおり、
前記通信端末は、前記通信端末側受信手段で受信した制御用画面構成データを、当該制御用画面構成データを送信した出力端末を特定するための出力端末特定データとともに記憶し、記憶している出力端末特定データにより特定される出力端末に前記データ出力要求を再度送信することとなるときは、記憶しているその出力端末特定データに対応する制御用画面構成データのバージョン情報を前記データ出力要求に含めて送信するようになっており、
前記データ出力要求に含まれているバージョン情報と、前記制御用画面構成データ送信手段により送信することとなる制御用画面構成データのバージョン情報とが一致しているときは、前記制御用画面構成データ送信手段による送信を行わないようになっていることを特徴とする出力端末。
【請求項１９】
データ出力要求を送信するデータ出力要求送信手段と、出力端末に対する制御要求を入力するための所定の入力項目を含む入力画面を構成するのに必要な制御用画面構成データを受信する通信端末側受信手段と、前記通信端末側受信手段で受信した制御用画面構成データに基づいて前記入力画面を構成して表示する画面構成手段と、前記入力画面に対して入力を行うための入力手段と、前記画面構成手段で表示した入力画面に入力された制御要求及び前記データ出力要求に係る出力データを送信する制御要求送信手段とを有する通信端末と、
請求項１４記載の出力端末とを通信可能に接続し、前記データ出力要求に係る出力データを前記出力端末に出力するシステムに適用するデータ出力支援プログラムを記憶した記憶媒体であって、
前記データ出力要求に起因して前記制御用画面構成データを送信する制御用画面構成データ送信手段として、コンピュータを機能させるためのプログラムを記憶したことを特徴とするコンピュータ読み取り可能な記憶媒体。
【請求項２０】
データ出力要求を送信するデータ出力要求送信手段と、出力端末に対する制御要求を入力するための所定の入力項目を含む入力画面を構成するのに必要な制御用画面構成データを受信する通信端末側受信手段と、前記通信端末側受信手段で受信した制御用画面構成データに基づいて前記入力画面を構成して表示する画面構成手段と、前記入力画面に対して入力を行うための入力手段と、前記画面構成手段で表示した入力画面に入力された制御要求及び前記データ出力要求に係る出力データを送信する制御要求送信手段とを有する通信端末に通信可能に接続したときに、前記データ出力要求に係る出力データを出力する出力端末に適用するデータ出力支援プログラムを記憶した記憶媒体であって、
前記データ出力要求に起因して前記制御用画面構成データを送信する制御用画面構成データ送信手段と、前記制御要求及び前記出力データを受信する受信手段と、前記受信手段で受信した制御要求に基づいて前記受信手段で受信した出力データを出力する出力手段として、コンピュータを機能させるためのプログラムを記憶したことを特徴とするコンピュータ読み取り可能な記憶媒体。
【請求項２１】
データ出力要求を送信するデータ出力要求送信手段と、出力端末に対する制御要求を入力するための所定の入力項目を含む入力画面を構成するのに必要な制御用画面構成データを受信する通信端末側受信手段と、前記通信端末側受信手段で受信した制御用画面構成データに基づいて前記入力画面を構成して表示する画面構成手段と、前記入力画面に対して入力を行うための入力手段と、前記画面構成手段で表示した入力画面に入力された制御要求及び前記データ出力要求に係る出力データを送信する制御要求送信手段とを有する通信端末と、
前記出力データを出力可能な出力端末を登録するための記憶手段と、登録要求を受けてその登録要求に係る出力端末を前記記憶手段に登録する登録手段と、前記出力データを出力することとなる出力端末を前記記憶手段から検索する検索手段とを有し、前記データ出力要求を受けて前記検索手段による検索を行い、前記検索手段で索出した出力端末に前記データ出力要求を送信する検索端末とに通信可能に接続したときに、前記データ出力要求に係る出力データを出力する出力端末に適用するデータ出力支援プログラムを記憶した記憶媒体であって、
前記データ出力要求に起因して前記制御用画面構成データを送信する制御用画面構成データ送信手段と、前記制御要求及び前記出力データを受信する受信手段と、前記受信手段で受信した制御要求に基づいて前記受信手段で受信した出力データを出力する出力手段と、前記登録要求を前記検索端末に送信する登録要求送信手段として、コンピュータを機能させるためのプログラムを記憶したことを特徴とするコンピュータ読み取り可能な記憶媒体。
【請求項２２】
請求項２０及び２１のいずれかにおいて、
前記通信端末は、当該通信端末の表示機能を含む端末仕様情報を前記データ出力要求に含めて送信するようになっており、
前記データ出力要求に含まれる端末仕様情報に基づいて前記制御用画面構成データを生成する制御用画面構成データ生成手段として、コンピュータを機能させるためのプログラムを記憶し、
前記制御用画面構成データ送信手段は、前記制御用画面構成データ生成手段で生成した制御用画面構成データを送信するようになっていることを特徴とするコンピュータ読み取り可能な記憶媒体。
【請求項２３】
請求項２２において、
前記制御用画面構成データ生成手段で生成した制御用画面構成データを記憶し、前記データ出力要求に含まれる端末仕様情報に基づいて生成することとなる制御用画面構成データを記憶しているときは、前記制御用画面構成データ生成手段による生成に代えて、記憶しているその制御用画面構成データを読み出すように、コンピュータを機能させるためのプログラムを記憶したことを特徴とするコンピュータ読み取り可能な記憶媒体。
【請求項２４】
請求項２０乃至２３のいずれかにおいて、
前記制御用画面構成データは、当該制御用画面構成データを特定するためのバージョン情報を含んでおり、
前記通信端末は、前記通信端末側受信手段で受信した制御用画面構成データを、当該制御用画面構成データを送信した出力端末を特定するための出力端末特定データとともに記憶し、記憶している出力端末特定データにより特定される出力端末に前記データ出力要求を再度送信することとなるときは、記憶しているその出力端末特定データに対応する制御用画面構成データのバージョン情報を前記データ出力要求に含めて送信するようになっており、
前記データ出力要求に含まれているバージョン情報と、前記制御用画面構成データ送信手段により送信することとなる制御用画面構成データのバージョン情報とが一致しているときは、前記制御用画面構成データ送信手段による送信を行わないように、コンピュータを機能させるためのプログラムを記憶したことを特徴とするコンピュータ読み取り可能な記憶媒体。
【請求項２５】
データ出力要求に起因して、出力端末に対する制御要求を入力するための所定の入力項目を含む入力画面を構成するのに必要な制御用画面構成データを送信する制御用画面構成データ送信手段と、
前記制御要求及び前記データ出力要求に係る出力データを受信する受信手段と、
前記受信手段で受信した制御要求に基づいて、前記受信手段で受信した出力データを出力する出力手段とを備えることを特徴とする出力端末。
【請求項２６】
データ出力要求に起因して、出力端末に対する制御要求を入力するための所定の入力項目を含む入力画面を構成するのに必要な制御用画面構成データを送信する制御用画面構成データ送信手段と、
前記制御要求及び前記データ出力要求に係る出力データを受信する受信手段と、
前記受信手段で受信した制御要求に基づいて前記受信手段で受信した出力データを出力する出力手段と、
登録要求を検索端末に送信する登録要求送信手段とを備えることを特徴とする出力端末。
【手続補正２】
【補正対象書類名】明細書
【補正対象項目名】００１３
【補正方法】変更
【補正の内容】
【００１３】
ここで、制御用画面構成データ送信手段は、データ出力要求に起因して送信するようになっていればどのような構成であってもよく、例えば、通信端末からのデータ出力要求を直接受けて送信するようになっていてもよいし、通信端末からのデータ出力要求を他の端末が受けてそれに応じてその他の端末が送信する別個の要求を受けることによりデータ出力要求を間接的に受けて送信するようになっていてもよい。以下、請求項１４、１５、２５および２６記載の出力端末、並びに請求項１９ないし２１記載のデータ出力支援プログラムを記憶した記憶媒体において同じである。
【手続補正３】
【補正対象書類名】明細書
【補正対象項目名】００１４
【補正方法】変更
【補正の内容】
【００１４】
また、制御用画面構成データ送信手段は、制御用画面構成データを送信するようになっていればどのような構成であってもよく、例えば、制御用画面構成データを直接通信端末に送信するようになっていてもよいし、制御用画面構成データを他の端末を介して送信することにより間接的に通信端末に送信するようになっていてもよい。以下、請求項１４、１５、２５および２６記載の出力端末、並びに請求項１９ないし２１記載のデータ出力支援プログラムを記憶した記憶媒体において同じである。
【手続補正４】
【補正対象書類名】明細書
【補正対象項目名】００１６
【補正方法】変更
【補正の内容】
【００１６】
また、制御要求送信手段は、制御要求および出力データを送信するようになっていればどのような構成であってもよく、例えば、制御要求および出力データを直接出力端末に送信するようになっていてもよいし、制御要求および出力データを他の端末を介して送信することにより間接的に出力端末に送信するようになっていてもよい。以下、請求項１４、１５、２５および２６記載の出力端末、並びに請求項１９ないし２１記載のデータ出力支援プログラムを記憶した記憶媒体において同じである。
【手続補正５】
【補正対象書類名】明細書
【補正対象項目名】００１７
【補正方法】変更
【補正の内容】
【００１７】
ここで、出力端末は、データを出力するようになっていればどのような構成であってもよく、これには、例えば、データを表示する表示手段、データを音声等として出力する音出力手段、またはデータを印刷する印刷手段を備えたものが含まれる。以下、請求項１４、１５、２５および２６記載の出力端末、並びに請求項１９ないし２１記載のデータ出力支援プログラムを記憶した記憶媒体において同じである。
【手続補正６】
【補正対象書類名】明細書
【補正対象項目名】００１８
【補正方法】変更
【補正の内容】
【００１８】
また、通信端末は、少なくとも当該システムと通信を行う機能を有していればどのような構成であってもよく、これには、例えば、携帯電話等の携帯可能な携帯端末、パソコンまたは電話が含まれる。以下、請求項１４、１５、２５および２６記載の出力端末、並びに請求項１９ないし２１記載のデータ出力支援プログラムを記憶した記憶媒体において同じである。
【手続補正７】
【補正対象書類名】明細書
【補正対象項目名】００５４
【補正方法】変更
【補正の内容】
【００５４】
ここで、本発明に係る出力端末は、制御用画面構成データを送信するようになっていればどのような構成であってもよく、例えば、制御用画面構成データを記憶するための制御用画面構成データ記憶手段と、制御用画面構成データ記憶手段から制御用画面構成データを読み出す制御用画面構成データ読出手段とを備え、制御用画面構成データ送信手段は、制御用画面構成データ読出手段で読み出した制御用画面構成データを送信するようになっていてもよいし、制御用画面構成データを生成する制御用画面構成データ生成手段を備え、制御用画面構成データ送信手段は、制御用画面構成データ生成手段で生成した制御用画面構成データを送信するようになっていてもよい。以下、請求項１５、２５および２６記載の出力端末において同じである。
【手続補正８】
【補正対象書類名】明細書
【補正対象項目名】００８４
【補正方法】変更
【補正の内容】
【００８４】
このような構成であれば、記憶媒体に記憶されたプログラムがコンピュータによって読み取られ、読み取られたプログラムに従ってコンピュータが機能したときは、請求項１８記載の出力端末と同様の作用が得られる。
一方、上記目的を達成するために、本発明に係る請求項２５記載の出力端末は、データ出力要求に起因して、出力端末に対する制御要求を入力するための所定の入力項目を含む入力画面を構成するのに必要な制御用画面構成データを送信する制御用画面構成データ送信手段と、前記制御要求および前記データ出力要求に係る出力データを受信する受信手段と、前記受信手段で受信した制御要求に基づいて、前記受信手段で受信した出力データを出力する出力手段とを備える。
このような構成であれば、請求項１４記載の出力端末と同等の作用が得られる。
さらに、本発明に係る請求項２６記載の出力端末は、データ出力要求に起因して、出力端末に対する制御要求を入力するための所定の入力項目を含む入力画面を構成するのに必要な制御用画面構成データを送信する制御用画面構成データ送信手段と、前記制御要求および前記データ出力要求に係る出力データを受信する受信手段と、前記受信手段で受信した制御要求に基づいて前記受信手段で受信した出力データを出力する出力手段と、登録要求を検索端末に送信する登録要求送信手段とを備える。
このような構成であれば、請求項１５記載の出力端末と同等の作用が得られる。
【手続補正９】
【補正対象書類名】明細書
【補正対象項目名】０１９３
【補正方法】変更
【補正の内容】
【０１９３】
上記第１の実施の形態において、検索用ＧＵＩデータは、請求項４または５記載の検索用画面構成データに対応し、制御用ＧＵＩデータは、請求項１、９、１４ないし１６、１９ないし２２、２５または２６記載の制御用画面構成データに対応し、クライアント情報は、請求項５、９、１６または２２記載の端末仕様情報に対応している。
【手続補正１０】
【補正対象書類名】明細書
【補正対象項目名】０１９４
【補正方法】変更
【補正の内容】
【０１９４】
また、上記第１の実施の形態において、携帯端末１００およびクライアント３００，４００は、請求項１、４、５、７、９、１４ないし１６、１９ないし２２、２５または２６記載の通信端末に対応し、キーパネル３０および入力装置５０は、請求項１、１４、１５、１９ないし２１、２５または２６記載の入力手段に対応している。また、ステップＳ１０２は、請求項１４、１５、１９ないし２１、２５または２６記載のデータ出力要求送信手段に対応し、ステップＳ１０４は、請求項４記載の第２の通信端末側受信手段に対応し、ステップＳ１０６は、請求項４記載の第２の画面構成手段に対応し、ステップＳ１１０は、請求項４記載の第２の制御要求送信手段に対応している。また、ステップＳ１１２は、請求項１、１４、１５、１９ないし２１、２５または２６記載の通信端末側受信手段に対応し、ステップＳ１１８は、請求項１、１４、１５、１９ないし２１、２５または２６記載の画面構成手段に対応し、ステップＳ１２２は、請求項１、１４、１５、１９ないし２１、２５または２６記載の制御要求送信手段に対応している。
【手続補正１１】
【補正対象書類名】明細書
【補正対象項目名】０１９６
【補正方法】変更
【補正の内容】
【０１９６】
また、上記第１の実施の形態において、印刷サーバ６００は、請求項１ないし４、８、９、または１９ないし２１記載の出力端末に対応し、印刷装置９４は、請求項１、１４、１５、２０、２１、２５または２６記載の出力手段に対応し、ステップＳ３０４〜Ｓ３０８，Ｓ３２２，Ｓ３２４は、請求項９、１６または２２記載の制御用画面構成データ生成手段に対応している。また、ステップＳ３１４は、請求項１、２、９、１４ないし１６、１９ないし２２、２５または２６記載の制御用画面構成データ送信手段に対応し、ステップＳ３１６は、請求項１記載の出力端末側受信手段、または請求項１４、１５、１９ないし２１、２５若しくは２６記載の受信手段に対応し、ステップＳ３５２は、請求項８、１５または２１記載の登録要求送信手段に対応している。
また、上記第４の実施の形態において、印刷サーバ６００は、請求項１０または２３記載の出力端末に対応し、ステップＳ３０４，Ｓ３０８，Ｓ３２４は、請求項１０、１７または２３記載の制御用画面構成データ生成手段に対応している。
【手続補正１２】
【補正対象書類名】明細書
【補正対象項目名】０３５２
【補正方法】変更
【補正の内容】
【０３５２】
さらに、本発明に係る請求項２４記載のデータ出力支援プログラムを記憶した記憶媒体によれば、さらに、本発明に係る請求項１２または１３記載のデータ出力支援システムと同等の効果が得られる。
一方、本発明に係る請求項２５記載の出力端末によれば、請求項１４記載の出力端末と同等の効果が得られる。
さらに、本発明に係る請求項２６記載の出力端末によれば、請求項１５記載の出力端末と同等の効果が得られる。